(57)【要約】【課題】現場外での組立が可能で、配置時における型崩れを抑制する。【解決手段】隣接する一方の枠板の側面に設けられた複数の側部雄継手と、他方の枠板の側面に側部雄継手と係合するように設けられた複数の側部雌継手を備えている。側部雄継手は、縦断面矩形の棒状体からなる雄継手本体と、雄継手本体の先端外側面に突出して形成され、横断面矩形で下方に楔状に傾斜した第１係合部と、雄継手本体の内側面の高さ方向の中間に突出して形成され、縦断面の基部が矩形で先端が台形である第２係合部からなる。側部雌継手は、枠板の側端側に開口した横向きＬ字状の雌継手本体と、雌継手本体の内面に第１係合部に対応して形成された横断面コ字状溝からなる第１係止部と、雌継手本体の内面と対向する枠板の側面に第２係合部と対応して形成された矩形凹部からなる第２係止部からなっている。【選択図】        図２７
2005336973.tif 000002
【特許請求の範囲】
【請求項１】
複数の透孔を有する平板状の枠板を枠状に連結し、中空空間に土石を充填する土石詰め用組立枠であって、隣接する一方の枠板の側面に設けられた複数の側部雄継手と、他方の枠板の側面に側部雄継手と係合するように設けられた複数の側部雌継手を備え、側部雄継手は、縦断面矩形の棒状体からなる雄継手本体と、雄継手本体の先端外側面に突出して形成され、横断面矩形で下方に楔状に傾斜した第１係合部と、雄継手本体の内側面の高さ方向の中間に突出して形成され、縦断面の基部が矩形で先端が台形である第２係合部からなり、側部雌継手は、枠板の側端側に開口した横向きＬ字状の雌継手本体と、雌継手本体の内面に第１係合部に対応して形成された横断面コ字状溝からなる第１係止部と、雌継手本体の内面と対向する枠板の側面に第２係合部と対応して形成された矩形凹部からなる第２係止部からなることを特徴とする土石詰め用組立枠。
【請求項２】
側部雌継手は、雌継手本体の底部が閉じられている請求項１記載の土石詰め用組立枠。
【請求項３】
複数の透孔を有する平板状の枠板を枠状に連結し、中空空間に土石を充填するとともに積重ねて配置する土石詰め用組立枠であって、下方の枠体の上部に等間隔で側面に突出して設けられた複数の上下雄継手と、上方の枠板の下部に上下雄継手と係合するように同一間隔で下方に突出して設けられた複数の上下雌継手を備え、上下雄継手は、枠板の一方の側面に縦断面の基部が矩形で先端が台形である第３係合部が突出して形成されてなり、上下雌継手は、枠板の第３係合部と対応する側の側面から下方外側に傾斜する内面を有する第１挟持部と、第１挟持部と対向して設けられ、枠板の他方の側面に沿う内面を有する第２挟持部からなることを特徴とする土石詰め用組立枠。
【請求項４】
上下雌継手は、第１挟持部の内面の上下方向に第３係合部の幅に対応した横断面コ字状溝が形成されている請求項３記載の土石詰め用組立枠。
【発明の詳細な説明】
【技術分野】
【０００１】  本発明は、河川の護岸、護床、制水、湖沼の護岸、海岸の浸食や流砂の防止、農山地の堰堤や土留、道路の法面や路肩の保護、災害復旧工事、漁礁等に使用される土石詰め用組立枠に関し、詳細には、複数の透孔を有する平板状の枠板を枠状に連結してなる土石詰め用組立枠に関する。
【背景技術】
【０００２】  治山、治水工事、例えば河川の護岸工事において、現存植生物の保護、育成等自然環境保全に優れていることから、コンクリート製品、ゴム製品等に替えて土石詰め用組立枠が広く採用されている。土石詰め用組立枠としては、保管、運搬、施工性、耐久性等に優れていることから、複数の透孔を有する平板状の枠板を連結して中空枠状に組立てたものが採用されている。【０００３】  ところで、例えば河川の護岸工事をする際、河岸に沿い１つの中空空間を有する土石詰め用組立枠を配置し、一方向に複数の中空空間を有するものを配置し、又は二方向に複数の中空空間を有するものを配置することが行われている。また、地形によっては垂直方向又は階段状に積重ねて配置することが行われている。これらの作業は現場で行われるため、枠板を確実かつ迅速に連結し得る側部連結手段及び垂直方向又は階段状に積重ね得る上下連結手段が要望されている。【０００４】  そこで、側部連結手段としては、例えば、枠板の両面に連結部を突出して設け、隣接する枠板の連結部間に楔片を挿入して連結するもの、隣接する一方の枠板の側端に断面矩形の雄連結部を突出して設け、他方の枠体の対向側端に雌連結部を突出して設け、一方の枠体の雄連結部を上方から他方の枠体の雌連結部に挿入して連結するものが提案されている（例、特許文献１参照）。また、隣接する一方の枠体の側端に上下に開口する切欠部とこれに連なる上下方向の貫通孔とを有する雌継手が突出して設けられ、他方の枠体の側端に雌継手の切欠部が挿入可能な形状の幅部とこの幅部と一体で雌型継手の貫通孔に挿入される軸部とを有する雄型継手が後退位置に設けられ、側方から切欠部を幅部に挿入し、一方の枠体を回転させて貫通孔を軸部に挿入し連結するものが提案されている（例、特許文献２参照）。上下連結手段としては、枠板の上端及び下端に同一の山形を連続して形成し、下方の土石詰め用組立枠の枠板の上方の山形に上方の土石詰め用組立枠の枠板の下方の山形を合わせ、垂直方向又は階段状に積重ねる際に上下連結するものが提案されている（例、特許文献２参照）。【０００５】
【特許文献１】    特開２０００−６４２４８号公報（第７欄４８〜第８欄８行、第１０欄４０行〜第１１欄１行、図９、図２４）
【特許文献２】    特開２００１−２４８１３６号公報（第４欄４１行〜第５欄１行、第７欄５〜１２行、図２、図６）
【発明の開示】
【発明が解決しょうとする課題】
【０００６】  ところが、前記従来の側部連結手段及び上下連結手段については、それぞれ次の問題点がある。楔片を使用して側部を連結するものは、部品点数が多いいため、組立に手間取り、また楔片の挿入忘れによる組立不良を生じる恐れがある。雄連結部を雌連結部に挿入して側部を連結するものは、隣接する枠体の上下方向の拘束が弱く、現場外で組立てて現場に運搬する際に雄継手と雌継手の連結が外れる恐れがあり、現場外での組立が難しく、また土石詰め用組立枠として設置した後における地盤変化により隣接した枠板同士の高さに狂いを生じ、土石詰め用組立枠としての形が崩れる恐れがある。雄継手と雌継手を回転して側部を連結するものは、現場外で組立てて現場に運搬する際に雄継手と雌継手の連結が外れる恐れがあり、現場外での組立が難しく、また土石詰め用組立枠として設置した後における水勢、中詰材等による連結部のはらみ等より隣接した枠板同士の側面の出入りに狂いを生じ、又は連結が外れ、土石詰め用組立枠としての形が崩れる恐れがある。一方、枠板の上下端に山形を形成して上下の土石詰め用組立枠を連結するものは、上方の土石詰め用組立枠の積重ね位置を設定するとともに枠板の長手方向の連結をするに過ぎず、地盤変化により上下の土石詰め用組立枠間に大きな隙間が生じる恐れがある。
上下連結手段
【０００７】  本発明の課題は、前記従来の状況に鑑みてなされたものであり、その課題は、隣接する枠体同士の上下左右方向の離脱及び前後上下方向の回転を抑制する側部連結手段を設けることにより、現場外での組立が可能で、配置時における型崩れを抑制し得る土石詰め用組立枠を提供することにある。また、積重ねた土石詰め用組立枠の枠体の前後左右方向の位置設定に使用し得るとともに、前後左右及び上下方向の離脱を抑制し得る上下連結手段を設けることにより、地盤変化による上下の間隙の発生を抑制し得る土石詰め用組立枠を提供することにある。
【課題を解決するための手段】
【０００８】  前記課題を解決するために、本発明の土石詰め用組立枠は、複数の透孔を有する平板状の枠板を枠状に連結し、中空空間に土石を充填する土石詰め用組立枠であって、隣接する一方の枠板の側面に設けられた複数の側部雄継手と、他方の枠板の側面に側部雄継手と係合するように設けられた複数の側部雌継手を備え、側部雄継手は、縦断面矩形の棒状体からなる雄継手本体と、雄継手本体の先端外側面に突出して形成され、横断面矩形で下方に楔状に傾斜した第１係合部と、雄継手本体の内側面の高さ方向の中間に突出して形成され、縦断面の基部が矩形で先端が台形である第２係合部からなり、側部雌継手は、枠板の側端側に開口した横向きＬ字状の雌継手本体と、雌継手本体の内面に第１係合部に対応して形成された横断面コ字状溝からなる第１係止部と、雌継手本体の内面と対向する枠板の側面に第２係合部と対応して形成された矩形凹部からなる第２係止部からなることを特徴とする。その際、側部雌継手は、雌継手本体の底部が閉じられていることが好ましい。
【０００９】  また、本発明の土石詰め用組立枠は、複数の透孔を有する平板状の枠板を枠状に連結し、中空空間に土石を充填するとともに積重ねて配置する土石詰め用組立枠であって、下方の枠体の上部に等間隔に設けられた複数の上下雄継手と、上方の枠板の下部に上下雄継手と係合するように同一間隔で下方に突出して設けられた複数の上下雌継手を備え、上下雄継手は、枠板の一方の側面に縦断面の基部が矩形で先端が台形である第３係合部が突出して形成されてなり、上下雌継手は、枠板の第３係合部と対応する側の側面から下方外側に傾斜する内面を有する第１挟持部と、第１挟持部と対向して設けられ、枠板の他方の側面に沿う内面を有する第２挟持部からなることを特徴とする。その際、上下雌継手は、第１挟持部の内面の上下方向に第３係合部の幅に対応した横断面コ字状溝が形成されていることが好ましい。
【発明の効果】
【００１０】  本発明によれば、枠体を連結して土石詰め用組立枠を組立てる際には、側部雄継手を上方から雌継手に挿入する。側部雄継手の第１係合部が側部雌継手の第１係止部に挿入し、側部雄継手の第２係合部が第２係止部に挿入し、雄継手本体の付根側が雌継手本体の開口部に挿入する。側部雄継手の第１係合部が楔状であり、しかも、側部雄継手の第２係合部の先端が台形で、この先端が枠板の側面に当接することから、側部雌継手は雌継手本体と枠板間に強く圧入挟持される。また、第２係合部の基部が矩形で、第２係止部が矩形凹部であることから、上下方向における互いの移動を阻止する。これにより、隣接する枠板に相反する上下方向の外力が作用しても、互いが上下方向に離脱し難く、地盤変化による土石詰め用組立枠の変形を抑制し得る。第１係合部と第１係止部及び第２係合部と第２係止部の横断面形状がそれぞれ矩形であることから、隣接する枠板に各側面に平行な分離力が作用しても、互いが各側面に平行な方向に離脱することはない（各枠板の側面を同一面において連結する場合には、左右方向になる。）。また、各枠体の側面を含む平面内での相対的な回転が阻止される。さらに、第２係止部の先端が平面であることから、この面を基準に連結されるため、隣接する枠体の側面を同一面において連結する場合には、各枠体の側面を揃えて連結することができる。側部雄継手の継手本体が底部を有している場合には、側部雄継手を有する側の枠板の下降及び側部雌継手を有する側の枠板の上昇をさらに確実に抑制し、地盤変化による土石詰め用組立枠の変形を抑制し得る。
【００１１】  土石詰め組立枠を垂直方向又は階段状に積重ねる場合には、上方の枠板の上下雄継手を下方の枠板の上下雌継手に合致させて挿入する。上下雌継手の第１挟持部が下方の枠板の第３係合部に当接し、第２挟持部が下方の枠板の第３係合部と反対の側面に当接し、上下雌継手により下方の枠体の上部側面を強く圧入挟持ことになる。また、上下雌継手の第１挟持部の内面が下方外側に傾斜し、上下雄継手の第３係合部の先端が台形で平坦面を有していることから強い挟持力が得られる。これにより、下方の土石詰め用組立枠の地盤変化による下降並びに左右方向及び前後方向の相対的変位を阻止し、上下の土石詰め用組立枠間の間隙の発生等を抑制し得る。また、第２挟持部の内面が枠板の側面に沿うことから、上下の枠板の側面が同一面に揃えられる。そして、上方の土石詰め用組立枠を積重ねる際、上下雌継手を下方の枠板の上下雄継手に合致させることにより、前後左右の位置を簡単に設定し得る。上下雌継手における第１挟持部の内面に上下方向に第３係合部の幅に対応した横断面コ字状溝が形成されている場合には、前後左右の位置設定及び左右方向の相対変位の抑制をより確実になし得る。
【発明を実施するための最良の形態】
【００１２】  本発明の実施形態を図面に基づいて以下に説明する。図１は、第１実施形態の概念的な説明図である。１は、土石詰め用組立枠で、左右方向に６個配置し前後方向に２列配置して１２個の中空空間に仕切られ、側部雄継手２０，２５、側部雌継手１０、上下雄継手３５及び上下雌継手３０の取付位置の異なる６種類の枠体２，３，４，５，６，７により組立てられるものである。【００１３】  ２は第１外枠板で、図２〜５に示すように、左右の一方の端部寄りの両側面の各２個所に側部雌継手１０が設けられ、他方の端部寄りの１側面の２個所に側面の平行方向に突出して側部雄継手２０が設けられ、土石詰め用組立枠１の左右方向における中間部の形成に適用するものである。側部雄継手２０の取付位置は、土石詰め用組立枠１に組立てた際における外側になる側面の中間高さである。また、側部雌継手１０の取付位置は、土石詰め用組立枠１に組立てた際における外側になる側面のものは側部雄継手２０と同一の中間高さで、内側のものは上端及び下端寄りの高さである。３は第２外枠板で、図６〜９に示すように、左右の一方の端部の両側面の各２個所に側部雌継手１０が設けられ、他方の端部寄りの１側面の２個所に側部雌継手１０が設けられ、土石詰め用組立枠１の左右方向における前方左端部及び後方右端部並びに前後方向における右方前端部及び左方後端部の形成に適用するものである。他方の端部寄りの１側面に設けられた側部雌継手１０の取付位置は、土石詰め用組立枠１に組立てた際における内側になる側面の上端及び下端寄りの高さに取付けられている。４は第３外枠板で、図１０〜１３に示すように、左右の一方の端部の１側面の２個所に直角方向に突出して側部雄継手２５が設けられ、他方の端部寄りの１側面の２個所に側面の平行方向に突出して側部雄継手２０が設けられ、土石詰め用組立枠１の左右方向における前方右端部及び後方左端部の形成に適用するものである。一方の端部寄りの側部雄継手２５の取付位置は、土石詰め用組立枠１に組立てた際における内側になる側面に取付けられ、他方の端部寄りの側部雄継手２０は外側になる側面に取付けられている。５は第４外枠板で、図１４〜１９に示すように、左右の一方の端部の１側面の２個所に直角方向に突出して側部雄継手２５が設けられ、他方の端部寄りの１側面の２個所に側面の平行方向に突出して側部雄継手２０が設けられ、他側面の２個所に側部雌継手が設けられ、土石詰め用組立枠１の前後方向における左方前端部及び右方後端部の形成に適用するものである。一方の端部寄りの直角方向に突出する側部雄継手２５の取付位置は、土石詰め用組立枠１に組立てた際における内側になる側面に取付けられ、他端部寄りの平行方向に突出する側部雄継手２０は外側になる側面で、側部雌継手１０は内側になろ側面である。以上４種の外枠板を図１に示すように連結配置することにより、土石詰め組立枠の外枠を形成し得る。【００１４】  ６は第１仕切枠板で、図２０〜２３に示すように、左右の一方の端部の両側面の各２個所に側部雌継手１０が設けられ、他方の端部寄りの１側面の２個所に直角方向に突出する側部雄継手２５が設けられ、土石詰め用組立枠１の外枠の内部を左右に仕切るために適用するものである。他方の端部寄りの１側面に設けられた側部雄継手２５の取付位置は、土石詰め用組立枠１に組立てる際においては後方側を仕切る場合と前方側を仕切る場合とでは第１仕切枠板６を１８０度反転して使用できるため、いずれの側面に取付けられていてもよい。７は第２仕切枠板で、図２４〜２６に示すように、左右の両端部における両側面の各２個所に直角方向に突出して側部雄継手２５が設けられ、土石詰め用組立枠１の外枠の内部を前後に仕切るために適用されるものである。なお、各外枠板２〜５の側部雄継手２０，２５及び側部雌継手１０の取付高さは、土石詰め用組立枠１に組立てた際における外側になる側面のものは中間高さで、内側になるものは上端及び下端寄りの高さで、各仕切枠板の側部雄継手２５及び側部雌継手１０の取付高さは上端及び下端寄りの高さであるが、全て同一高さに取付けられていてもよい。第１仕切枠板６を土石詰め組立枠１の外枠を構成する前後の外枠板２，３，４に連結した後、第２仕切枠板７を外枠を構成する左右に配置された外枠板３，５及び第１仕切枠板６に連結することにより、土石詰め組立枠１を組み上げることになる。【００１５】  ところで、側部雄継手２０，２５及び側部雌継手１０について、図２７〜３１を参照しながら詳細に説明する。側部雄継手２０，２５は、縦断面矩形の棒状体からなる雄継手本体２１と、雄継手本体２１の先端外側面に突出して形成され、横断面矩形で下方に楔状に傾斜した第１係合部２２と、雄継手本体２１の内側面の高さ方向の中間に突出して形成され、縦断面の基部が矩形で先端が台形である第２係合部２３からなっている。第２係合部２３は、雄継手本体２１の先端から少し後退した位置から後述する側部雌継手の開口部１５付近まで設けられ、第１係合部２２と一部重なって対向することから、側部雌継手１０との係合時に雄継手本体２１の姿勢を適切に維持し、第１係合部２２による楔作用を十分に発揮させ得る。１０は側部雌継手で、枠板の側端側に開口した横向きＬ字状の雌継手本体１１と、雌継手本体１１の内面に第１係合部２２に対応して形成された横断面コ字状溝からなる第１係止部１２と、雌継手本体１１の内面と対向する枠板の側面に第２係合部２３と対応して形成された矩形凹部からなる第２係止部１３とからなり、雌継手本体１１は底部１４が閉じられている。側部雄継手２０，２５と側部雌継手１０の位置関係は、両者が係合した連結状態において、隣接する枠板２，３，４，５，６，７の端部の間隔が各仕切枠板６，７の厚味以上であることが好ましい。側部雄継手２０，２５は、例えば第１外枠板２のように側面の平行方向に突出して設けられ、第４外枠板５のように直角方向に突出して設けられていてもよく、さらに直角方向以外の角度で突出して設けられていてもよい。これにより、設置場所の地形に応じて平面視矩形以外の形状の土石詰め用組立枠１を組立てることができる。側部雄継手２０，２５及び側部雌継手１０による連結が側部雄継手２０，２５を上方から側部雌継手１０に挿入することにより簡便になし得ることから、第１〜４の外枠板２，３，４，５及び第１、２の仕切枠板６，７に側部雄継手２０，２５及び側部雌継手１０を余分に付加し、相互の連結状態を考慮して取付高さを���則的に設定して取付けてもよい。これにより、外枠板及び仕切板の種類を減少するとともに、多種の大きさの土石詰め組立枠を形成し得る。なお、本実施の形態においては、第１外枠板を追加連結し、それに応じて各仕切枠板を追加することにより、左右方向の増設をすることができ、また第１外枠板を取除くことにより、左右方向を縮小し得る。【００１６】  次に、３５は上下雄継手で、各枠体２，３，４，５，６，７の上部に等間隔で側面に突出して設けられ、各枠板２，３，４，５，６，７の一方の側面に縦断面の基部が矩形で先端が台形である第３係合部３６が突出して形成されている。３０は上下雌継手で、各枠体２，３，４，５，６，７の第３係合部３６と対応する側の側面から下方外側に傾斜する内面を有する第１挟持部３１と、第１挟持部３１と対向して設けられ、各枠体２，３，４，５，６，７の他方の側面に沿う内面を有する第２挟持部３２からなっている。また、図３６に拡大して示すように、第３係合部３６を取付けた各枠体２，３，４，５，６，７の上端に係合突部３７が設けられ、上下雌継手３０の内面頂部に係合突部３７と係合する係止凹部３３が設けられており、両者の係合により上下の枠板の位置ずれをさらに抑制し得る。なお、上下雌継手３０は、第１挟持部３１の内面の上下方向に第３係合部３６の幅に対応した横断面コ字状溝が形成されていてもよく、第３係合部３６との係合を迅速に行い易く、積重ねる上方の土石詰め用組立枠１を前後左右において強固に連結し得る。
【図面の簡単な説明】
【００１７】
【図１】本発明の実施形態の概念的な説明図で、土石詰め用組立枠の各枠板の配置関連を模式的に示す。
【図２】第１外枠板の正面図である。
【図３】第１外枠板の平面図である。
【図４】第１外枠板の右側面図である。
【図５】第１外枠板の左側面図である。
【図６】第２外枠板の正面図である
【図７】第２外枠板の平面図である。
【図８】第２外枠板の右側面図である。
【図９】第２外枠板の左側面図である。
【図１０】第３外枠板の正面図である
【図１１】第３外枠板の平面図である
【図１２】第３外枠板の左側面図である
【図１３】第３外枠板の右側面図である
【図１４】第４外枠板の正面図である
【図１５】第４外枠板の背面図である
【図１６】第４外枠板の平面図である
【図１７】第４外枠板の右側面図である
【図１８】第４外枠板の左側面図である
【図１９】第４外枠板の上下雄継手及び上下雌継手を通る断面図である。
【図２０】第１仕切枠板の正面図である。
【図２１】第１仕切枠板の平面図である。
【図２２】第１仕切枠板の右側面図である。
【図２３】第１仕切枠板の左側面図である。
【図２４】第２仕切枠板の正面図である。
【図２５】第２仕切枠板の平面図である。
【図２６】第２仕切枠板の右及び左側面図である。
【図２７】枠板の側面の平行方向に突出した側部雄継手と側部雌継手の連結状態の説明図で、側部雌継手の一部を破断して示す平面図である。
【図２８】図２７のＡ−Ａ線に沿う断面図である。
【図２９】図２７のＢ−Ｂ線に沿う断面図である。
【図３０】図２７に示す側部雄継手の要部である第２係合部の説明図である。
【図３１】側面の平行方向に突出した側部雄継手と側部雌継手により第１外枠板と第２外枠板を連結した状態を示す。
【図３２】側面の直角方向に突出した側部雄継手と側部雌継手により第２仕切枠板を第２及び第４外枠板に連結した状態を示す。
【図３３】側面の直角方向に突出した側部雄継手と側部雌継手により第１仕切枠板を第１又は第２外枠板に連結した状態を示す。
【図３４】側面の直角方向に突出した側部雄継手と側部雌継手により第２仕切枠板を第２及び第４外枠板に連結した状態を示す。
【図３５】側面の直角方向に突出した側部雄継手と側部雌継手により第２外枠板と第３又は第４外枠板に連結した状態を示す。
【図３６】上下雄継手と上下雌継手の連結状態の説明図で、拡大断面図で示す。
【符号の説明】
【００１８】  １  土石詰め用組立枠
２  第１外枠板
３  第２外枠板
４  第３外枠板
５  第４外枠板
６  第１仕切枠板
７  第２仕切枠板
１０  側部雌継手
１１  雌継手本体
１２  第１係止部
１３  第２係止部
１４  雌継手本体の底部
１５  雌継手本体の開口部
２０  側部雄継手
２１  雄継手本体
２２  第１係合部
２３  第２係合部
２５  側面の直角方向に突出した側部雄継手
３０  上下雌継手
３１  第１挟持部
３２  第２挟持部
３３  係止凹部
３５  上下雄継手
３６  第３係合部
３７  係合突起
【図１】
2005336973.tif 000003
【図２】
2005336973.tif 000004
【図３】
2005336973.tif 000005
【図４】
2005336973.tif 000006
【図５】
2005336973.tif 000007
【図６】
2005336973.tif 000008
【図７】
2005336973.tif 000009
【図８】
2005336973.tif 000010
【図９】
2005336973.tif 000011
【図１０】
2005336973.tif 000012
【図１１】
2005336973.tif 000013
【図１２】
2005336973.tif 000014
【図１３】
2005336973.tif 000015
【図１４】
2005336973.tif 000016
【図１５】
2005336973.tif 000017
【図１６】
2005336973.tif 000018
【図１７】
2005336973.tif 000019
【図１８】
2005336973.tif 000020
【図１９】
2005336973.tif 000021
【図２０】
2005336973.tif 000022
【図２１】
2005336973.tif 000023
【図２２】
2005336973.tif 000024
【図２３】
2005336973.tif 000025
【図２４】
2005336973.tif 000026
【図２５】
2005336973.tif 000027
【図２６】
2005336973.tif 000028
【図２７】
2005336973.tif 000029
【図２８】
2005336973.tif 000030
【図２９】
2005336973.tif 000031
【図３０】
2005336973.tif 000032
【図３１】
2005336973.tif 000033
【図３２】
2005336973.tif 000034
【図３３】
2005336973.tif 000035
【図３４】
2005336973.tif 000036
【図３５】
2005336973.tif 000037
【図３６】
2005336973.tif 000038